(57)【要約】【課題】被検体内導入装置内の電池に蓄積された電力を消尽させて、中間電位状態での回路の誤動作を防止すること。【解決手段】ボタン型乾電池２９ａ，２９ｂから供給される電圧が、ＮＯＴ回路２６ｃで予め設定された中間電位以下になると、ＦＥＴ２６ａのソース・ドレイン端子間に流れる電流を遮断制御して、カプセル内機能実行回路３０への駆動電力の供給を停止するとともに、スイッチ素子２６ｈ，２６ｉをオン状態に切り替え制御して、ボタン型乾電池２９ａ，２９ｂに蓄積された電力を、並列接続された抵抗２６ｆ，２６ｇによって消尽させる。【選択図】        図３
2005124889.tif 000002
【特許請求の範囲】
【請求項１】
導入された被検体内において所定の機能を実行する機能実行手段と、
前記機能実行手段を駆動させるための駆動電力を蓄積する電力蓄積手段と、
前記電力蓄積手段から供給される電力を検出する検出手段と、
前記検出手段の検出結果に基づいて、前記電力蓄積手段の電力を消尽させる前記機能実行手段とは別に設けられた消尽手段と、
を備えたことを特徴とする被検体内導入装置。
【請求項２】
前記被検体内導入装置は、前記検出手段の検出結果に基づいて、前記電力蓄積手段から前記機能実行手段への駆動電力の供給を停止させる停止手段を、
さらに備えたことを特徴とする請求項１に記載の被検体内導入装置。
【請求項３】
前記電力蓄積手段は、直列接続された複数の電池からなり、
前記消尽手段は、前記各電池からそれぞれ電力を消尽させることを特徴とする請求項１または２に記載の被検体内導入装置。
【請求項４】
前記消尽手段は、
前記各電池とそれぞれ並列に接続可能な抵抗素子およびスイッチ素子と、
を備え、前記検出手段の検出結果に基づいて、前記スイッチ素子をオン状態に設定して、前記電池と抵抗素子を並列に接続させ、該電池の電力を消尽させることを特徴とする請求項３に記載の被検体内導入装置。
【請求項５】
前記消尽手段は、
前記電池間に直列に接続可能な抵抗素子およびスイッチ素子と、
を備え、前記検出手段の検出結果に基づいて、前記スイッチ素子をオン状態に設定して、前記電池と抵抗素子を直列に接続させ、該電池をショートさせて当該電池の電力を消尽させることを特徴とする請求項３に記載の被検体内導入装置。
【請求項６】
前記消尽手段は、
前記検出手段の検出結果に基づいて、所定温度以上の熱を発生する熱発生手段と、
前記電池間に直列に接続可能な抵抗素子と、
前記所定温度と等しい臨界温度に基づいて、前記電池と抵抗を直列に接続させる形状記憶部材と、
を備え、前記電池をショートさせて当該電池の電力を消尽させることを特徴とする請求項３に記載の被検体内導入装置。
【請求項７】
前記機能実行手段は、
前記被検体内を照明する照明手段と、
前記照明された被検体内の情報を取得する取得手段と、
前記取得手段が取得した前記被検体内の情報を外部に無線送信する無線送信手段と、
を少なくとも備えたことを特徴とする請求項１または２に記載の被検体内導入装置。
【発明の詳細な説明】
【技術分野】
【０００１】
本発明は、たとえば飲み込み型のカプセル型内視鏡の各部位に電力を供給する被検体内導入装置に関し、特に電池の電力を消尽させる被検体内導入装置に関するものである。
【背景技術】
【０００２】
近年、内視鏡の分野では、撮像機能と無線機能とが装備されたカプセル型内視鏡が登場している。このカプセル型内視鏡は、観察（検査）のために被検体である被検者に飲み込まれた後、被検者の生体から自然排出されるまでの観察期間、胃、小腸などの臓器の内部（体腔内）をその蠕動運動に伴って移動し、撮像機能を用いて順次撮像する構成である。
【０００３】
また、これら臓器内の移動によるこの観察期間、カプセル型内視鏡によって体腔内で撮像された画像データは、順次無線通信などの無線機能により、被検体の外部に設けられた外部装置に送信され、外部装置内に設けられたメモリに蓄積される。被検者がこの無線機能とメモリ機能を備えた外部装置を携帯することにより、被検者は、カプセル型内視鏡を飲み込んだ後、排出されるまでの観察期間、不自由を被ることなく行動が可能になる。観察後は、医者もしくは看護士によって、外部装置のメモリに蓄積された画像データに基づいて、体腔内の画像をディスプレイなどの表示手段に表示させて診断を行うことができる。
【０００４】
この種のカプセル型内視鏡では、たとえば特許文献１に示すような飲み込み型のものがあり、カプセル型内視鏡の駆動を制御するため、内部に外部磁場によってオン・オフするリードスイッチを備え、この外部磁場を供給する永久磁石を含むパッケージに収容された構成が提案されている。すなわち、カプセル型内視鏡内に備わるリードスイッチは、一定強度以上の磁場が与えられた環境下では、オフ状態を維持し、外部磁場の強度が低下することによってオンする構造を有する。このため、パッケージに収容されている状態では、カプセル型内視鏡は駆動しない。そして、飲み込み時に、このカプセル型内視鏡をパッケージから取り出すことで、永久磁石から離隔してカプセル型内視鏡が磁力の影響を受けなくなり、駆動を開始する。このような構成を有することによって、パッケージ内に収容された状態では、カプセル型内視鏡の駆動が防止可能となり、パッケージから取り出し後は、カプセル型内視鏡の照明機能、撮像機能による画像の撮像および無線機能による画像信号の送信が行われていた。
【０００５】
【特許文献１】国際公開第０１／３５８１３号パンフレット
【発明の開示】
【発明が解決しようとする課題】
【０００６】
ところが、カプセル型内視鏡は、たとえばボタン型乾電池などの電池から電力を供給することによって、照明機能、撮像機能および無線機能などの予め設定された所定の機能を実行する機能実行手段を駆動させているので、長時間電池を使用すると、電池の供給電力が低下して中間電位となり、この中間電位によって機能実行手段の負荷側にラッチアップなどの現象が発生し、故障モードに入ることがある。そこで、中間電位の状態では、電池と機能実行手段との接続を切断する回路構成のものも考えられるが、このように構成したとしても、この切断を行うための切り替え回路も動作が不安定になったり、ラッチアップ現象を生じることがあり、これによって回路に誤動作が生じるという問題があった。
【０００７】
本発明は、上記問題に鑑みてなされたものであって、被検体内導入装置内の電池に蓄積された電力を消尽させて、中間電位状態での回路の誤動作を防止することができる被検体内導入装置を提供することを目的とする。
【課題を解決するための手段】
【０００８】
上述した課題を解決し、目的を達成するために、本発明にかかる被検体内情報取得装置は、導入された被検体内において所定の機能を実行する機能実行手段と、前記機能実行手段を駆動させるための駆動電力を蓄積する電力蓄積手段と、前記電力蓄積手段から供給される電力を検出する検出手段と、前記検出手段の検出結果に基づいて、前記電力蓄積手段の電力を消尽させる前記機能実行手段とは別に設けられた消尽手段と、を備えたことを特徴とする。
【０００９】
また、請求項２にかかる被検体内導入装置は、上記発明において、前記検出手段の検出結果に基づいて、前記電力蓄積手段から前記機能実行手段への駆動電力の供給を停止させる停止手段を、さらに備えたことを特徴とする。
【００１０】
また、請求項３にかかる被検体内導入装置は、上記発明において、前記電力蓄積手段は、直列接続された複数の電池からなり、前記消尽手段は、前記各電池からそれぞれ電力を消尽させることを特徴とする。
【００１１】
また、請求項４にかかる被検体内導入装置は、上記発明において、前記消尽手段は、前記各電池にそれぞれ並列に接続可能な抵抗素子およびスイッチ素子と、を備え、前記検出手段の検出結果に基づいて、前記スイッチ素子をオン状態に設定して、前記電池と抵抗素子を並列に接続させ、該電池の電力を消尽させることを特徴とする。
【００１２】
また、請求項５にかかる被検体内導入装置は、上記発明において、前記消尽手段は、前記電池間に直列に接続可能な抵抗素子およびスイッチ素子と、を備え、前記検出手段の検出結果に基づいて、前記スイッチ素子をオン状態に設定して、前記電池と抵抗素子を直列に接続させ、該電池をショートさせて当該電池の電力を消尽させることを特徴とする。
【００１３】
また、請求項６にかかる被検体内導入装置は、上記発明において、前記消尽手段は、前記検出手段の検出結果に基づいて、所定温度以上の熱を発生する熱発生手段と、前記電池間に直列に接続可能な抵抗素子と、前記所定温度と等しい臨界温度に基づいて、前記電池と抵抗を直列に接続させる形状記憶部材と、を備え、前記電池をショートさせて当該電池の電力を消尽させることを特徴とする。
【００１４】
また、請求項７にかかる被検体内導入装置は、上記発明において、前記機能実行手段は、前記被検体内を照明する照明手段と、前記照明された被検体内の情報を取得する取得手段と、前記取得手段が取得した前記被検体内の情報を外部に無線送信する無線送信手段と、を少なくとも備えたことを特徴とする。
【発明の効果】
【００１５】
本発明にかかる被検体内導入装置は、電力蓄積手段から供給される電力の検出結果に基づき、停止手段によって電力蓄積手段から機能実行手段への駆動電力の供給を停止させるとともに、消尽手段によって被検体内導入装置内の電池に蓄積された電力を消尽させるので、中間電位状態での回路の誤動作を防止することができるという効果を奏する。
【発明を実施するための最良の形態】
【００１６】
以下に、本発明にかかる被検体内導入装置の実施の形態を図１〜図５の図面に基づいて詳細に説明する。なお、以下の図において、図１と同様の構成部分に関しては、説明の都合上、同一符号を付記するものとする。また、本発明は、これらの実施の形態に限定されるものではなく、本発明の要旨を逸脱しない範囲で種々の変更実施の形態が可能である。
【００１７】
（実施の形態１）
図１は、本発明にかかる無線型被検体内情報取得システムの概念を示すシステム概念図である。図１において、この無線型被検体内情報取得システムは、被検体１の体腔内に導入される被検体内導入装置としての飲み込み型のカプセル型内視鏡２と、被検体１の外部に配置されて、カプセル型内視鏡２との間で各種の情報を無線通信する体外装置である通信装置３とを備えている。また、無線型被検体内情報取得システムは、通信装置３が受信したデータに基づいて画像表示を行う表示装置４と、通信装置３と表示装置４間でデータの入出力を行う携帯型記録媒体５とを備えている。
【００１８】
カプセル型内視鏡２は、図２のブロック図に示すように、たとえば被検体１の体腔内における被検部位を照射するための照明手段としての発光素子（ＬＥＤ）２０と、ＬＥＤ２０の駆動状態を制御する第１の駆動手段としてのＬＥＤ駆動回路２１と、ＬＥＤ２０によって照射された領域からの反射光である体腔内の画像（被検体内情報）を撮像する取得手段としての電荷結合素子（ＣＣＤ）２２と、ＣＣＤ２２の駆動状態を制御する第１の駆動手段としてのＣＣＤ駆動回路２３と、この撮像された画像信号をＲＦ信号に変調するＲＦ送信ユニット２４と、ＲＦ送信ユニット２４から出力されたＲＦ信号を無線送信する無線送信手段としての送信アンテナ部２５とを備えている。また、カプセル型内視鏡２は、これらＬＥＤ駆動回路２１、ＣＣＤ駆動回路２３およびＲＦ送信ユニット２４の動作を制御するシステムコントロール回路２６を備えることにより、このカプセル型内視鏡２が被検体１内に導入されている間、ＬＥＤ２０によって照射された被検部位の画像データをＣＣＤ２２によって取得するように動作している。この取得された画像データは、さらにＲＦ送信ユニット２４によってＲＦ信号に変換され、送信アンテナ部２５を介して被検体１の外部に送信されている。
【００１９】
また、カプセル型内視鏡２は、通信装置３から送信された無線信号を受信可能に構成された無線受信手段としての受信アンテナ部２７と、この受信アンテナ部２７で受信された信号から所定の入力レベル（たとえば受信強度レベル）のコントロール信号を検出するコントロール信号検出回路２８と、システムコントロール回路２６およびコントロール信号検出回路２８に電力を供給する電池２９を備えている。
【００２０】
コントロール信号検出回路２８は、コントロール信号の内容を検出し、必要に応じてＬＥＤ駆動回路２１、ＣＣＤ駆動回路２３およびシステムコントロール回路２６に対してコントロール信号を出力している。システムコントロール回路２６は、電池２９から供給される駆動電力を他の構成要素（機能実行手段）に対して分配する機能を有している。
【００２１】
図３は、図２に示した実施の形態１にかかるシステムコントロール回路の回路構成を示す回路図である。なお、図３において、電池２９は、たとえば複数（この実施の形態１では２個）のボタン型乾電池２９ａ，２９ｂから構成される。
【００２２】
このシステムコントロール回路２６は、ソース端子が電池２９に接続されるＦＥＴ（電界効果トランジスタ）２６ａと、ＦＥＴ２６ａのドレイン端子に接続されるダイオード２６ｂと、ダイオード２６ｂの出力端子に接続されるＮＯＴ回路２６ｃと、ＮＯＴ回路２６ｃからの出力によってリセット（Ｒ）されるとともに、ＦＥＴ２６ａのゲート端子に出力（Ｑ）を行うフリップフロップ２６ｄとを備える。また、ダイオード２６ｂの出力は、カプセル内機能実行回路３０に接続され、フリップフロップ２６ｄは、前述したリードスイッチからの入力によってセット（Ｓ）される。なお、本発明では、ＦＥＴなどのトランジスタの代わりに、たとえばスイッチ素子を用いることも可能である。また、この実施の形態では、カプセル型内視鏡２内に備わる撮像機能、照明機能および無線機能（一部）を有するものを総称して、所定の機能を実行する機能実行手段としている。具体的には、システムコントロール回路２６、受信アンテナ部２７およびコントロール信号検出回路２８を除いたものは、所定の機能を実行する機能実行手段であり、以下では必要に応じてカプセル内機能実行回路３０と総称する。
【００２３】
また、システムコントロール回路２６は、ＮＯＴ回路２６ｃの出力が入力（ＣＫ）するフリップフロップ２６ｅと、ボタン型乾電池２９ａ，２９ｂにそれぞれ並列に接続可能な抵抗２６ｆ，２６ｇと、スイッチ素子２６ｈ，２６ｉとを備える。これらスイッチ素子２６ｈ，２６ｉは、ボタン型乾電池２９ａ，２９ｂから駆動電力がカプセル内機能実行回路３０に供給されている間はオフ状態になり、駆動電力がカプセル内機能実行回路３０に供給されなくなると、オン状態に切り替わるように、ＮＯＴ回路２６ｃおよびフリップフロップ２６ｅによって動作制御されている。すなわち、スイッチ素子２６ｈ，２６ｉは、フリップフロップ２６ｅからの出力（Ｑ）によって、オン状態に切り替わり、ボタン型乾電池２９ａ，２９ｂと、抵抗２６ｆ，２６ｇを並列にそれぞれ接続させて、ボタン型乾電池２９ａ，２９ｂに蓄積された電力をそれぞれ消尽させる。
【００２４】
通信装置３は、起動用信号をカプセル型内視鏡２に送信する無線送信手段として送信装置の機能と、カプセル型内視鏡２から無線送信された体腔内の画像データを受信する無線受信手段として受信装置の機能を有する。図４は、図１に示した実施の形態１にかかる通信装置３の内部構成を示すブロック図である。図４において、通信装置３は、被検体１に着用されるとともに、複数の受信用アンテナＡ１〜Ａｎおよび複数の送信用アンテナＢ１〜Ｂｍを有する送受信用衣類（たとえば送受信ジャケット）３１と、送受信された無線信号の信号処理などを行う外部装置３２とを備える。なお、ｎ，ｍは、必要に応じて設定されるアンテナの任意の個数を示している。
【００２５】
外部装置３２は、受信用アンテナＡ１〜Ａｎによって受信された無線信号に対して復調などの所定の信号処理を行い、無線信号の中からカプセル型内視鏡２によって取得された画像データを抽出するＲＦ受信ユニット３３と、抽出された画像データに必要な画像処理を行う画像処理ユニット３４と、画像処理が施された画像データを記録するための記憶ユニット３５とを備え、カプセル型内視鏡２から送信された無線信号の信号処理を行う。なお、この実施の形態では、記憶ユニット３５を介して携帯型記録媒体５に画像データが記録されている。
【００２６】
また、外部装置３２は、カプセル型内視鏡２の駆動状態を制御するためのコントロール信号（起動用信号）を生成するコントロール信号入力ユニット３６と、生成されたコントロール信号を無線周波数に変換して出力するＲＦ送信ユニット回路３７とを備えており、ＲＦ送信ユニット回路３７で変換された信号は、送信用アンテナＢ１〜Ｂｍに出力されて、カプセル型内視鏡２に対して送信される。さらに、外部装置３２は、所定の蓄電装置またはＡＣ電源アダプタなどを備えた電力供給ユニット３８を備え、外部装置３２の各構成要素は、電力供給ユニット３８から供給される電力を駆動エネルギーとしている。
【００２７】
表示装置４は、カプセル型内視鏡２によって撮像された体腔内画像を表示するためのものであり、携帯型記録媒体５によって得られるデータに基づいて画像表示を行うワークステーションなどのような構成を有する。具体的には、表示装置４は、ＣＲＴディスプレイ、液晶ディスプレイなどによって直接画像を表示する構成としても良いし、プリンタなどのように、他の媒体に画像を出力する構成としても良い。
【００２８】
携帯型記録媒体５は、外部装置３２および表示装置４にも接続可能であって、両者に対して挿入されて、接続された時に情報の出力または記録が可能な構造を有する。この実施の形態では、携帯型記録媒体５は、カプセル型内視鏡２が被検体１の体腔内を移動している間は、外部装置３２に挿入されてカプセル型内視鏡２から送信されるデータを記録する。次に、カプセル型内視鏡２が被検体１から排出された後、つまり、被検体１の内部の撮像が終了した後には、外部装置３２から取り出されて表示装置４に挿入され、この表示装置４によって、表示装置４に記録されたデータが読み出される構成を有する。たとえば、この携帯型記録媒体５は、コンパクトフラッシュ（登録商標）メモリなどから構成され、外部装置３２と表示装置４とのデータの入出力を、携帯型記録媒体５を介して間接的に行うことができ、外部装置３２と表示装置４との間が有線で直接接続された場合と異なり、被検体１が体腔内の撮影中に自由に動作することが可能となる。
【００２９】
次に、図３の回路図を用いて、カプセル型内視鏡２の動作を説明する。図３において、たとえば、被検体１内への導入前のカプセル型内視鏡２は、内部に外部磁場によってオン・オフする図示しないリードスイッチを備え、この外部磁場を供給する永久磁石を含むパッケージに収容された状態で保管されている。この状態では、カプセル型内視鏡２は駆動しない。
【００３０】
そして、飲み込み時に、このカプセル型内視鏡２がパッケージから取り出されると、パッケージの永久磁石から離隔してカプセル型内視鏡２が磁力の影響を受けなくなり、このリードスイッチからの入力によってフリップフロップ２６ｄがセット（Ｓ）される。フリップフロップ２６ｄは、セットされると、ＦＥＴ２６ａのゲート端子に出力（Ｑ）を行い、この出力（Ｑ）によってＦＥＴ２６ａのソース・ドレイン端子間に電流が流れ、ダイオード２６ｂを介してカプセル内機能実行回路３０にボタン型乾電池２９ａ，２９ｂからの電力が供給される。
【００３１】
ここで、ボタン型乾電池２９ａ，２９ｂから供給される電圧をＡ、ＦＥＴ２６ａとダイオードで消費される電圧をＢ、Ｃとすると、カプセル内機能実行回路３０に供給される電圧は、Ａ−（Ｂ＋Ｃ）＝Ｘとなる。さらに、ＮＯＴ回路２６ｃには、閾値として中間電位Ｙが設定されており、電圧Ｘがこの中間電位Ｙより大きい、すなわち（電圧Ｘ）＞（中間電位Ｙ）の場合には、ＮＯＴ回路２６ｃから出力されず、スイッチ素子２６ｈ，２６ｉはオフ状態となる。
【００３２】
また、この電圧Ｘがこの中間電位Ｙ以下、すなわち（電圧Ｘ）≦（中間電位Ｙ）になると、ＮＯＴ回路２６ｃからの出力によって、フリップフロップ２６ｄがリセットされ、かつＮＯＴ回路２６ｃからの出力がフリップフロップ２６ｅに入力する。そして、フリップフロップ２６ｄがリセットされると、ソース・ドレイン端子間に電流が流れなくなり、カプセル内機能実行回路３０には駆動電力が供給されなくなる。さらに、ＮＯＴ回路２６ｃからの出力が入力すると、フリップフロップ２６ｅは、出力（Ｑ）を行なって、スイッチ素子２６ｈ，２６ｉをオン状態に切り替える。この切り替え動作によって、ボタン型乾電池２９ａ，２９ｂと抵抗２６ｆ，２６ｇとがそれぞれ並列に接続され、抵抗２６ｆ，２６ｇによってボタン型乾電池２９ａ，２９ｂに蓄積された電力を消尽させることができる。
【００３３】
このように、この実施の形態では、ボタン型乾電池から供給される電圧が予め設定された中間電位以下になると、カプセル内機能実行回路への駆動電力の供給を停止するとともに、ボタン型乾電池に蓄積された電力を、並列接続された抵抗によってそれぞれ消尽させるので、中間電位状態での回路の誤動作を防止することができる。
【００３４】
（実施の形態２）
図５は、図２に示した実施の形態２にかかるシステムコントロール回路の回路構成の要部を示す回路図である。図５において、この実施の形態２の電池２９は、たとえば直列に積層された３個のボタン型乾電池２９ａ〜２９ｃから構成されており、カプセル型内視鏡２内に設けられた導電性の基板２９ｄに接地されている。
【００３５】
この実施の形態２では、実施の形態１と同様に、ボタン型乾電池２９ａに接続されるＦＥＴ２６ａ、ダイオード２６ｂ、ＮＯＴ回路２６ｃ、フリップフロップ２６ｄおよびフリップフロップ２６ｅを備える。さらに、この実施の形態２では、直列に積層されたボタン型乾電池２９ａ〜２９ｃの正極ケースに配置された導電性部材からなる形状記憶部材２９ｅ〜２９ｇと、ボタン型乾電池２９ｂ，２９ｃおよび基板２９ｄに配置された抵抗２９ｈ〜２９ｊを備える。
【００３６】
また、ボタン型乾電池２９ａの正極には、直列に接続可能なヒートコイル２６ｊ〜２６ｌと、スイッチ素子２６ｍとを備える。このスイッチ素子２６ｍは、ボタン型乾電池２９ａ〜２９ｃから駆動電力がカプセル内機能実行回路３０に供給されている間はオフ状態になり、駆動電力がカプセル内機能実行回路３０に供給されなくなると、オン状態に切り替わるように、ＮＯＴ回路２６ｃおよびフリップフロップ２６ｅによって動作制御されている。すなわち、スイッチ素子２６ｍは、フリップフロップ２６ｅからの出力（Ｑ）によって、オン状態に切り替わり、ボタン型乾電池２９ａ〜２９ｃと、ヒートコイル２６ｊ〜２６ｌを直列に接続させている。
【００３７】
ヒートコイル２６ｊ〜２６ｌは、電流が流れると、所定温度以上、たとえば被検体の温度より若干高めの４０℃〜４５℃の熱をそれぞれ発生するように構成されている。また、形状記憶部材２９ｅ〜２９ｇは、この所定温度を臨界温度とし、かかる臨界温度以上で、記憶した形状に回復する形状記憶合金または形状記憶樹脂から構成されている。そして、形状記憶部材２９ｅ〜２９ｇは、この記憶した形状に回復すると、隣接するボタン型乾電池２９ｂ，２９ｃおよび基板２９ｄに配置された抵抗２９ｈ〜２９ｊとそれぞれ電気的に接続されて、ボタン型乾電池２９ａ〜２９ｃをショートさせる。この実施の形態２では、このショートに伴ってボタン型乾電池２９ａ〜２９ｃに過大電流が流れて発熱しないように、抵抗２９ｈ〜２９ｊの抵抗値を予め調整して過大電流の発生を防止している。なお、抵抗２９ｈ〜２９ｊは、抵抗値の調整された導電性の部材、たとえばゴムやプラスチックなどから構成されている。
【００３８】
ここで、カプセル内機能実行回路３０に供給される電圧Ｘが、ＮＯＴ回路２６ｃで設定された中間電位Ｙ以下になると、ＮＯＴ回路２６ｃからの出力によって、カプセル内機能実行回路３０への駆動電力の供給を停止するとともに、フリップフロップ２６ｅは、出力（Ｑ）を行なって、スイッチ素子２６ｍをオン状態に切り替える。この切り替え動作によって、ボタン型乾電池２９ａ，２９ｂとヒートコイル２６ｊ〜２６ｌが直列に接続され、ヒートコイル２６ｊ〜２６ｌが所定温度に発熱する。そして、形状記憶部材２９ｅ〜２９ｇは、この発熱により、記憶した形状に回復して抵抗２９ｈ〜２９ｊと電気的に接続して、ボタン型乾電池２９ａ〜２９ｃをショートさせる。
【００３９】
このように、この実施の形態では、ボタン型乾電池から供給される電圧が予め設定された中間電位以下になると、カプセル内機能実行回路への駆動電力の供給を停止するとともに、ボタン型乾電池を抵抗を介してショートさせて、ボタン型乾電池に蓄積された電力を消尽させるので、中間電位状態での回路の誤動作を防止することができる。
【００４０】
また、本発明では、たとえば図５に示した各ボタン型乾電池２９ａ〜２９ｃおよび基板２９ｄ間に直列に接続可能なスイッチ素子および抵抗を配置し、スイッチ素子をフリップフロップ２６ｅの動作制御によってオン状態に切り替えたときに、ボタン型乾電池２９ａ〜２９ｃと抵抗を電気的に直列接続させて、ボタン型乾電池２９ａ〜２９ｃをショートさせることも可能である。この場合、スイッチ素子および抵抗は、たとえば絶縁性の樹脂フィルムなどにパターン構成し、この樹脂フィルムをボタン型乾電池２９ａ〜２９ｃの正極ケースに貼り合わせ、スイッチ素子および抵抗の接点と正極ケースが電気的に接続されるように構成する。
【００４１】
この場合も、実施の形態２と同様に、ボタン型乾電池から供給される電圧が予め設定された中間電位以下になると、ボタン型乾電池を抵抗を介してショートさせて、ボタン型乾電池に蓄積された電力を消尽させるので、中間電位状態での回路の誤動作を防止することができ、さらにカプセル型内視鏡内で熱を発生することなく、少ない部品点数でボタン型乾電池に蓄積された電力を消尽させることができる。
【図面の簡単な説明】
【００４２】
【図１】本発明にかかる無線型被検体内情報取得システムの概念を示すシステム概念図である。
【図２】図１に示した実施の形態１にかかるカプセル型内視鏡の内部構成を示すブロック図である。
【図３】図２に示した実施の形態１にかかるシステムコントロール回路の回路構成を示す回路図である。
【図４】図１に示した実施の形態１にかかる通信装置の内部構成を示すブロック図である。
【図５】図２に示した実施の形態２にかかるシステムコントロール回路の回路構成の要部を示す回路図である。
【符号の説明】
【００４３】
１  被検体
２  カプセル型内視鏡
３  通信装置
４  表示装置
５  携帯型記録媒体
２０  発光素子（ＬＥＤ）
２１  ＬＥＤ駆動回路
２２  電荷結合素子（ＣＣＤ）
２３  ＣＣＤ駆動回路
２４  ＲＦ送信ユニット
２５  送信アンテナ部
２６  システムコントロール回路
２６ａ  電界効果トランジスタ（ＦＥＴ）
２６ｂ  ダイオード
２６ｃ  ＮＯＴ回路
２６ｄ，２６ｅ  フリップフロップ
２６ｆ，２６ｇ，２９ｈ〜２９ｊ  抵抗
２６ｈ，２６ｉ，２６ｍ  スイッチ素子
２６ｊ〜２６ｌ  ヒートコイル
２７  受信アンテナ部
２８  コントロール信号検出回路
２９  電池
２９ａ〜２９ｃ  ボタン型乾電池
２９ｄ  基板
２９ｅ〜２９ｇ  形状記憶部材
３０  カプセル内機能実行回路
３１  送受信ジャケット
３２  外部装置
３３  ＲＦ受信ユニット
３４  画像処理ユニット
３５  記憶ユニット
３６  コントロール信号入力ユニット
３７  ＲＦ送信ユニット回路
３８  電力供給ユニット
Ａ１〜Ａｎ  受信用アンテナ
Ｂ１〜Ｂｍ  送信用アンテナ
【図１】
2005124889.tif 000003
【図２】
2005124889.tif 000004
【図３】
2005124889.tif 000005
【図４】
2005124889.tif 000006
【図５】
2005124889.tif 000007